(57)【要約】【課題】  顧客の対応に依存することなく、より興行内容に多様性や偶然性を持たせ、より興行内容の陳腐化を防ぐことが可能なアトラクション施設制御システムを提供する。【解決手段】  情報変換サーバ３は状況情報の要求を受信すると、状況感知センサ（＃１〜＃３）４〜６やネットワーク１００から天候に関する収集データを収集する。情報変換サーバ３は収集した収集データに偶然性情報を付与するための乱数を生成し、生成した乱数と収集した情報とを合成して偶然性要素を加えた状況情報を作成し、状況情報を情報管理サーバ２を介して制御サーバ１に送信する。制御サーバ１は送信されてきた状況情報によって、興行装置７においてアトラクションとして実行される興行内容を決定する。【選択図】      図１                                                  
2005074123.tif 000002
【特許請求の範囲】
【請求項１】
アトラクション施設の興行内容を制御するアトラクション施設制御システムであって、少なくとも自然現象からデータを収集する収集手段と、前記収集手段で収集されたデータを基に前記アトラクション施設の興行内容を変更する制御手段とを有することを特徴とするアトラクション施設制御システム。
【請求項２】
前記収集手段は、少なくとも温度と湿度と降水確率とを含む天候の情報を前記自然現象から収集することを特徴とする請求項１記載のアトラクション施設制御システム。
【請求項３】
前記制御手段は、前記収集手段で収集されたデータに偶然性を持つ情報を付与した情報を基に前記アトラクション施設の興行内容を変更することを特徴とする請求項１または請求項２記載のアトラクション施設制御システム。
【請求項４】
前記制御手段は、少なくとも前記アトラクション施設内の温度と湿度と背景映像とを可変して前記アトラクション施設の興行内容を変更することを特徴とする請求項２または請求項３記載のアトラクション施設制御システム。
【請求項５】
アトラクション施設の興行内容を制御する制御装置を含むシステムのアトラクション施設制御方法であって、前記制御装置側に、少なくとも自然現象からデータを収集するステップと、その収集されたデータを基に前記アトラクション施設の興行内容を変更するステップとを有することを特徴とするアトラクション施設制御方法。
【請求項６】
前記データを収集するステップは、少なくとも温度と湿度と降水確率とを含む天候の情報を前記自然現象から収集することを特徴とする請求項５記載のアトラクション施設制御方法。
【請求項７】
前記興行内容を変更するステップは、前記収集されたデータに偶然性を持つ情報を付与した情報を基に前記アトラクション施設の興行内容を変更することを特徴とする請求項５または請求項６記載のアトラクション施設制御方法。
【請求項８】
前記興行内容を変更するステップは、少なくとも前記アトラクション施設内の温度と湿度と背景映像とを可変して前記アトラクション施設の興行内容を変更することを特徴とする請求項６または請求項７記載のアトラクション施設制御方法。
【発明の詳細な説明】
【技術分野】
【０００１】
本発明はアトラクション施設制御システム及びそれに用いるアトラクション施設制御方法に関し、特にテーマパークのアトラクション施設等における興行内容の制御方法に関する。
【背景技術】
【０００２】
近年、あるテーマに基づいて各種ゲームやアトラクションの施設を設けて興行するテーマパークが数多く開設されている。この種のテーマパークでは、例えば童話や宇宙、あるいはキャラクタ（アニメーションや人形等）をテーマとしたものがある。
【０００３】
このテーマパークでは、上記のテーマに関連したゲームやアトラクションに参加することで、来園客に対してあたかも童話や宇宙、あるいはキャラクタの世界を提供している。
【０００４】
テーマパークにはジェットコースター等の各種アトラクション施設やゲーム施設等が設けられているが、これらアトラクション施設やゲーム施設等では決まった興行内容が繰り返されるだけで、テーマパーク全体の興行内容が固定化、陳腐化してしまい，客の減少によって収益が得られなくなるという問題がある。
【０００５】
そこで、従来のテーマパークにおいては、統一的テーマに基づく要素情報を、興行を具現化する興行装置に伝達して制御する際に、興行における顧客の対応情報を検出し、その検出した対応情報に基づいて要素情報を管理調整することで、興行内容の固定化を防止して陳腐化を回避する方法が提案されている（例えば、特許文献１参照）。
【０００６】
【特許文献１】特開平７−３２８２３５号公報
【発明の開示】
【発明が解決しようとする課題】
【０００７】
しかしながら従来のテーマパークでは、観客の反応に応じてアトラクションの興行内容を変化させる場合、一見固定化を免れるようであるが、興行内容によっては観客の反応が限られるため、結局、興行内容が固定化されてしまうという問題がある。
【０００８】
そこで、本発明の目的は上記の問題点を解消し、顧客の対応に依存することなく、より興行内容に多様性や偶然性を持たせることができ，より興行内容の陳腐化を防ぐことができるアトラクション施設制御システム及びそれに用いるアトラクション施設制御方法を提供することにある。
【課題を解決するための手段】
【０００９】
本発明によるアトラクション施設制御システムは、アトラクション施設の興行内容を制御するアトラクション施設制御システムであって、少なくとも自然現象からデータを収集する収集手段と、前記収集手段で収集されたデータを基に前記アトラクション施設の興行内容を変更する制御手段とを備えている。
【００１０】
本発明によるアトラクション施設制御方法は、アトラクション施設の興行内容を制御する制御装置を含むシステムのアトラクション施設制御方法であって、前記制御装置側に、少なくとも自然現象からデータを収集するステップと、その収集されたデータを基に前記アトラクション施設の興行内容を変更するステップとを備えている。
【００１１】
すなわち、本発明のアトラクション施設制御システムは、天候等の人間では制御することができない自然現象等の情報に偶然要素を加え、その情報に基づいてアトラクション施設の興行内容を変更することによって、興行内容の固定化や陳腐化を招かないようにしている。
【００１２】
これによって、本発明のアトラクション施設制御システムでは、テーマパークのアトラクションを決まりきった内容を繰り返すのではなく、天候等の情報によって興行内容を制御することで、興行内容の固定化や陳腐化を防ぐことが可能となる。
【００１３】
また、本発明のアトラクション施設制御システムでは、アトラクションの動作を制御する情報として天候等の情報に加え、偶然性を持つ情報を付与することによって、より興行内容に多様性や偶然性を持たせることが可能となり、より興行内容の陳腐化を防ぐことが可能となる。
【発明の効果】
【００１４】
本発明は、以下に述べるような構成及び動作とすることで、顧客の対応に依存することなく、より興行内容に多様性や偶然性を持たせることができ，より興行内容の陳腐化を防ぐことができるという効果が得られる。
【発明を実施するための最良の形態】
【００１５】
次に、本発明の実施の形態について図面を参照して説明する。図１は本発明の実施の形態によるアトラクション施設制御システムの構成を示すブロック図である。図において、本発明の実施の形態によるアトラクション施設制御システムは制御サーバ１と、情報管理サーバ２と、情報変換サーバ３と、状況感知センサ（＃１〜＃３）４〜６と、ジェットコースター等の興行装置（アトラクション施設）７と、温度／湿度調整装置８と、プロジェクタ９とから構成されている。
【００１６】
情報管理サーバ２は情報変換サーバ３に対して興行装置７におけるアトラクションの興行内容を制御する状況情報の要求を行う。情報変換サーバ３は状況情報の要求を受信すると、状況感知センサ（＃１〜＃３）４〜６やインタネット等のネットワーク１００から天候等に関する収集データ、つまり人間では制御することができない自然現象等に関する収集データを収集する。
【００１７】
状況感知センサ（＃１〜＃３）４〜６各々は、気温や湿度等の収集データを取得し、その収集データを情報変換サーバ３へ送信する。また、情報変換サーバ３は状況感知センサ（＃１〜＃３）４〜６各々で取得することができない情報をネットワーク１００を介して取得する。
【００１８】
情報変換サーバ３は状況感知センサ（＃１〜＃３）４〜６及びネットワーク１００から収集した収集データに偶然性情報を付与するための乱数を生成し、生成した乱数と収集した情報とを合成して偶然性要素を加えた状況情報を作成する。情報変換サーバ３は作成した状況情報を情報管理サーバ２へ送信する。
【００１９】
情報管理サーバ２は情報変換サーバ３から得た状況情報を蓄積し、制御サーバ１へ送信する。制御サーバ１は送信されてきた状況情報によって、興行装置７においてアトラクションとして実行される興行内容を決定する。制御サーバ１は興行内容に応じて温度／湿度調整装置８やプロジェクタ９を制御し、興行装置７の興行内容を変化させる。
【００２０】
興行装置７としては、屋内を走行するジェットコースタ−があるが、この場合、温度／湿度調整装置８やプロジェクタ９にて室内の温度／湿度や映像が可変可能となっている。したがって、室内の温度／湿度や映像を可変することで、興行装置７の興行内容を変化させることができる。
【実施例１】
【００２１】
次に、本発明の一実施例について説明する。本発明の一実施例によるアトラクション施設制御システムは上記の図１に示す本発明の実施の形態によるアトラクション施設制御システムと同様の構成である。
【００２２】
図２は本発明の一実施例による情報変換サーバにおける状況情報の作成方法を示す図である。図２において、本発明の一実施例による情報変換サーバでは温度の状況情報の場合、「データ＃１：温度  Ｘ℃」＋「変換パラメータ＃１  Ａ」→「状況パラメータ＃１  Ｘ’」という式から作成される。
【００２３】
湿度の状況情報の場合には、「データ＃２：湿度  Ｙ％」＋「変換パラメータ＃２  Ｂ」→「状況パラメータ＃２  Ｙ’」という式から作成される。降水確率の状況情報の場合には、「データ＃３：降水確率  Ｚ％」＋「変換パラメータ＃３  Ｃ」→「状況パラメータ＃３  Ｚ’」という式から作成される。
【００２４】
図３は本発明の一実施例によるアトラクション施設制御システムの動作を示すシーケンスチャートである。これら図１〜図３を参照して本発明の一実施例によるアトラクション施設制御システムの動作について説明する。
【００２５】
情報管理サーバ２が情報変換サーバ３に対してアトラクションの興行内容を制御する状況情報の要求を行うと（図３のａ１）、情報変換サーバ３は状況感知センサ（＃１〜＃３）４〜６やネットワーク１００から天候に関する収集データを収集する（図３のａ２，ａ４）。
【００２６】
各状況感知センサ（＃１〜＃３）４〜６は気温や湿度等の収集データを取得し、その収集データを情報変換サーバ３へ送信する（図３のａ３）。また、情報変換サーバ３は状況感知センサ（＃１〜＃３）４〜６で取得することができない情報をネットワーク１００を介して取得する（図３のａ５）。
【００２７】
次に、情報変換サーバ３は状況感知センサ（＃１〜＃３）４〜６やネットワーク１００から収集した収集データに偶然性情報を付与するために乱数を生成し（図３のａ６）、生成した乱数と収集した情報とを合成して偶然性要素を加えた状況情報を作成する（図３のａ７）。情報変換サーバ３は作成した状況情報を情報管理サーバ２へ送信する（図３のａ８）。
【００２８】
情報管理サーバ２は情報変換サーバ３から得た状況情報を蓄積し（図３のａ９）、その状況情報を制御サーバ１へ送信する（図３のａ１０）。制御サーバ１は送信された状況情報によって興行装置７でアトラクションとして実行する興行内容を決定する（図３のａ１１）。
【００２９】
以下、例えば、興行装置７が屋内を走行するジェットコースターであり、屋内の背景を変化させる場合について説明する。夏の暑い晴れた日にジェットコースターに乗った場合、情報変換サーバ３はその時の屋外の気温や湿度を感知センタ状況感知センサ（＃１〜＃３）４〜６から取得し、状況感知センサ（＃１〜＃３）４〜６で取得することができない降水確率等の天候情報をネットワーク１００を介して取得する。
【００３０】
情報変換サーバ３は状況感知センサ（＃１〜＃３）４〜６から取得した情報とネットワーク１００を介して取得した情報とを保持し、自装置上で生成した乱数と合成することによって、屋内におけるジェットコースターの背景を制御する状況情報を作成し、その状況情報を情報管理サーバ２へ送信する。
【００３１】
情報管理サーバ２は情報変換サーバ３から受信した状況情報を蓄積し、その状況情報を情報管理サーバ１へ送信する。制御サーバ１は情報管理サーバ２から受信した状況情報を基に暑い晴れた日の天候を作成し、偶然性情報によって屋内における風量を変更して固定的ではない景色を作り出すように興行内容を決定する。
【００３２】
つまり、制御サーバ１は温度／湿度調整装置８やプロジェクタ９を制御することで、温度／湿度調整装置８によって「暑さ」を演出し、プロジェクタ９から晴れた日の景色を屋内の壁面等に投射して「晴れた日」を演出する。
【００３３】
制御サーバ１は偶然性情報を基に、雨の日には雨の強さ（量）のように天候情報のみから設定することができない状況を生成し、その状況を屋内の景色に反映する。
【００３４】
つまり、制御サーバ１は温度／湿度調整装置８やプロジェクタ９を制御することで、温度／湿度調整装置８によって「雨の日の体感状況（例えば、蒸し暑いとかの体感状況）」を演出し、プロジェクタ９から雨の日の景色を屋内の壁面等に投射して「雨の日」を演出する。
【００３５】
例えば、状況感知センサ（＃１〜＃３）４〜６から「外気温：２５℃」、「湿度：６８％」というデータを取得するとともに、ネットワーク１００から「降水確率：８０％」というデータが取得された場合、本実施例では、「曇った天気の映像」を作出し、その映像をジェットコースターの背景として屋内の壁面等に映し出す。
【００３６】
また、本実施例では、日時を０〜１００までの範囲で乱数を生成し、乱数の大きさに応じて雨の量（９０度の場合、豪雨等）を、同時に生成した乱数で数値毎に設定してある方向から雨を降らせた映像を生成し、「曇った天気の映像」に重ねることで、雨の風景を作成する。
【００３７】
このように、本実施例では、テーマパークのアトラクションを決まりきった内容を繰り返すのではなく、天候等の情報によって興行内容を制御することによって、興行内容の固定化や陳腐化を防ぐことができる。
【００３８】
また、本実施例では、アトラクションの動作を制御する情報として天候等の情報に加え、偶然性を持つ情報を付与することによって、より興行内容に多様性や偶然性を持たせることができ、より興行内容の陳腐化を防ぐことができる。
【産業上の利用可能性】
【００３９】
本発明は、屋内を走るジェットコースターの環境、つまり屋内の温度や湿度、及びジェットコースターの周りを取り巻く情景（映像）を変化させることで、興行内容を変化させているが、天候に伴って音響や風量（送風機による送風量やジェットコースター自体の速度）を可変することも可能である。
【００４０】
また、本発明は、ジェットコースター以外にも、屋内を循環する船や車等での周遊、あるいは椅子等を振動させる疑似体感施設等のように、顧客が参加する興行の周囲環境を変化可能な施設であれば、どのようなものにも適用可能である。
【００４１】
さらに、本発明は、天候以外にも、人間では制御することができない情報で、しかもセンサやネットワークにて収集可能な情報であれば、その情報に偶然要素を加えることで、上記の制御に用いることができる。
【図面の簡単な説明】
【００４２】
【図１】本発明の実施の形態によるアトラクション施設制御システムの構成を示すブロック図である。
【図２】本発明の一実施例による情報変換サーバにおける状況情報の作成方法を示す図である。
【図３】本発明の一実施例によるアトラクション施設制御システムの動作を示すシーケンスチャートである。
【符号の説明】
【００４３】
１  制御サーバ
２  情報管理サーバ
３  情報変換サーバ
４〜６  状況感知センサ（＃１〜＃３）
７  興行装置
８  温度／湿度調整装置
９  プロジェクタ
【図１】
2005074123.tif 000003
【図２】
2005074123.tif 000004
【図３】
2005074123.tif 000005